(57)【特許請求の範囲】
【請求項１】
入力信号をキャリア検出レベルと比較し、その比較結果を積分する積分回路と、
入力信号からキャリア検出レベルを生成し、前記積分回路へ出力する検波回路と、
前記積分回路の出力をレベル弁別して、キャリアの有無を判別する出力回路とを含むキャリア検出回路において、
前記検波回路は、検波器と積分器とを備え、
前記検波器は、前記入力信号と前記キャリア検出レベルとの差分を、キャリア周波数に対して充分応答することができる高速で増幅し、電圧出力する高速増幅器と、その高速増幅器の出力を整流するダイオードと、前記ダイオードを介して前記高速増幅器の出力電圧で充電されると共に、その充電電圧を前記検波器の出力として前記積分器へ出力する第１容量と、前記第１容量を定電流で放電させる定電流源とを備え、
前記積分器は、前記検波器の出力と基準電圧源からの予め定める積分基準値である基準電圧との差に対応した電流を出力するアンプ、および、そのアンプの出力電流で充電され、その充電電圧を前記キャリア検出レベルとして前記積分回路および高速増幅器へ出力する第２容量を備え、
さらに、前記キャリア検出回路には、前記出力回路によってキャリアの有ることが検出されている期間は、前記検波器からの出力を前記積分基準値よりも高くするレベル変更回路が設けられていることを特徴とするキャリア検出回路。
【請求項２】
前記レベル変更回路は、前記キャリアの有る期間に、前記検波器からの出力を前記積分基準値よりも僅かに高い一定電圧に制限することで、該検波器からの出力を積分基準値に対して相対的に増加することを特徴とする請求項１記載のキャリア検出回路。
【請求項３】
入力信号をキャリア検出レベルと比較し、その比較結果を積分する積分回路と、
入力信号からキャリア検出レベルを生成し、前記積分回路へ出力する検波回路と、
前記積分回路の出力をレベル弁別して、キャリアの有無を判別する出力回路とを含むキャリア検出回路において、
前記検波回路は、検波器と積分器とを備え、
前記検波器は、前記入力信号と前記キャリア検出レベルとの差分を、キャリア周波数に対して充分応答することができる高速で増幅し、電圧出力する高速増幅器と、その高速増幅器の出力を整流するダイオードと、前記ダイオードを介して前記高速増幅器の出力電圧で充電されると共に、その充電電圧を前記検波器の出力として前記積分器へ出力する第１容量と、前記第１容量を定電流で放電させる定電流源とを備え、
前記積分器は、前記検波器の出力と基準電圧源からの予め定める積分基準値である基準電圧との差に対応した電流を出力するアンプ、および、そのアンプの出力電流で充電され、その充電電圧を前記キャリア検出レベルとして前記積分回路および高速増幅器へ出力する第２容量を備え、
さらに、前記キャリア検出回路には、前記出力回路によってキャリアの有ることが検出されている期間は、無い期間よりも前記定電流源の放電電流を減少するレベル変更回路が設けられていることを特徴とするキャリア検出回路。
【請求項４】
入力信号をキャリア検出レベルと比較し、その比較結果を積分する積分回路と、
入力信号からキャリア検出レベルを生成し、前記積分回路へ出力する検波回路と、
前記積分回路の出力をレベル弁別して、キャリアの有無を判別する出力回路とを含むキャリア検出回路において、
前記検波回路は、検波器と積分器とを備え、
前記検波器は、前記入力信号と前記キャリア検出レベルとの差分を、キャリア周波数に対して充分応答することができる高速で増幅し、電圧出力する高速増幅器と、その高速増幅器の出力を整流するダイオードと、前記ダイオードを介して前記高速増幅器の出力電圧で充電されると共に、その充電電圧を前記検波器の出力として前記積分器へ出力する第１容量と、前記第１容量を定電流で放電させる定電流源とを備え、
前記積分器は、前記検波器の出力と基準電圧源からの予め定める積分基準値である基準電圧との差に対応した電流を出力するアンプ、および、そのアンプの出力電流で充電され、その充電電圧を前記キャリア検出レベルとして前記積分回路および高速増幅器へ出力する第２容量を備え、
さらに、前記キャリア検出回路には、前記出力回路によってキャリアの有ることが検出されている期間は、無い期間よりも、前記検波器への入力信号の入力オフセット電圧を増加するレベル変更回路が設けられていることを特徴とするキャリア検出回路。
【請求項５】
入力信号をキャリア検出レベルと比較し、その比較結果を積分する積分回路と、
入力信号からキャリア検出レベルを生成し、前記積分回路へ出力する検波回路と、
前記積分回路の出力をレベル弁別して、キャリアの有無を判別する出力回路とを含むキャリア検出回路において、
前記検波回路は、検波器と積分器とを備え、
前記検波器は、前記入力信号と前記キャリア検出レベルとの差分を、キャリア周波数に対して充分応答することができる高速で増幅し、電圧出力する高速増幅器と、その高速増幅器の出力を整流するダイオードと、前記ダイオードを介して前記高速増幅器の出力電圧で充電されると共に、その充電電圧を前記検波器の出力として前記積分器へ出力する第１容量と、前記第１容量を定電流で放電させる定電流源とを備え、
前記積分器は、前記検波器の出力と基準電圧源からの予め定める積分基準値である基準電圧との差に対応した電流を出力するアンプ、および、そのアンプの出力電流で充電され、その充電電圧を前記キャリア検出レベルとして前記積分回路および高速増幅器へ出力する第２容量を備え、
さらに、前記キャリア検出回路には、前記出力回路によってキャリアの有ることが検出されている期間は、無い期間よりも、前記積分器における積分基準値を低下するレベル変更回路が設けられていることを特徴とするキャリア検出回路。
【請求項６】
前記請求項１〜５の何れかに記載のキャリア検出回路を備えていることを特徴とする赤外線リモコン受信機。
【請求項７】
赤外線信号を受光して得られた受信信号を増幅する第１アンプと、
前記第１アンプで増幅された受信信号から、検出すべきキャリア周波数成分を抽出するバンドパスフィルタと、
前記キャリア周波数成分に基づいて、キャリアの有無を検出するキャリア検出回路とを備え、
前記キャリア検出回路は、入力信号としての前記キャリア周波数成分をキャリア検出レベルと比較し、その比較結果を積分する積分回路と、
前記積分回路の出力をレベル弁別して、キャリアの有無を判別する出力回路と、
入力信号からキャリア検出レベルを生成し、前記積分回路へ出力する検波回路とを備えた赤外線リモコン受信機であって、
前記検波回路は、検波器と積分器とを備え、
前記検波器は、前記入力信号と前記キャリア検出レベルとの差分を、キャリア周波数に対して充分応答することができる高速で増幅し、電圧出力する高速増幅器と、その高速増幅器の出力を整流するダイオードと、前記ダイオードを介して前記高速増幅器の出力電圧で充電されると共に、その充電電圧を前記検波器の出力として前記積分器へ出力する第１容量と、前記第１容量を定電流で放電させる定電流源とを備え、
前記積分器は、前記検波器の出力と基準電圧源からの予め定める積分基準値である基準電圧との差に対応した電流を出力する第２アンプ、および、その第２アンプの出力電流で充電され、その充電電圧を前記キャリア検出レベルとして前記積分回路および高速増幅器へ出力する第２容量を備え、
さらに、前記赤外線リモコン受信機には、前記出力回路によってキャリアの有ることが検出されている期間は、前記第１アンプまたはバンドパスフィルタの少なくとも一方のゲインを低下するゲイン変更回路が設けられていることを特徴とする赤外線リモコン受信機。
【請求項８】
前記ゲイン変更回路は、ゲイン低下時に、時定数を有し、ゲインを低下させる制御の応答を遅延させることを特徴とする請求項７記載の赤外線リモコン受信機。
【発明の詳細な説明】
【０００１】
【発明の属する技術分野】
本発明は、キャリアを含む信号の復調器として好適に実施されるキャリア検出回路および赤外線リモコン受信機に関する。
【０００２】
【従来の技術】
図１４は前記赤外線リモコンの受信機１の一構成例を示すブロック図であり、図１５は一般的な受信機１における各部の波形図である。この受信機１では、赤外線信号はフォトダイオード２で図１５（ａ）で示すような光電流信号Ｉｉｎに変換され、その光電流信号Ｉｉｎはアンプ３において電流−電圧変換されるとともに、さらにアンプ４で増幅された後、バンドパスフィルタ５に入力される。バンドパスフィルタ５では、図１５（ｂ）の参照符α１で示すようにキャリア周波数成分が抽出され、さらに検波回路６において図１５（ｃ）の参照符α１１で示すように、前記キャリア周波数成分からベースバンド周波数の送信コード成分が検波され、その検波出力が出力回路７において参照符α１２で示す予め定めるスレッシュレベルと比較されることで、キャリアの有無が判別されてデジタルの前記コード信号が復元され、前記出力回路７から図１５（ｄ）で示す出力信号Ｄｏｕｔとして出力される。前記検波回路６およびヒステリシスコンパレータから成る出力回路７は、キャリア検出回路を構成する。
【０００３】
図１６は、典型的な従来技術のキャリア検出回路１０の等価回路図である。このキャリア検出回路１０は、本件出願人が先に特願２０００−２３４９２６号で提案したものである。このキャリア検出回路１０は、検波回路１１および積分回路１２ならびに前記ヒステリシスコンパレータ７から構成されており、前記バンドパスフィルタ５の出力Ｓｉｇから検波回路１１でキャリア検出レベルＤｅｔを生成し、積分回路１２で前記出力Ｓｉｇを前記キャリア検出レベルＤｅｔと比較し、その比較結果を積分して、ヒステリシスコンパレータ７に与える。
【０００４】
注目すべきは、このキャリア検出回路１０では、検波回路１１において、検波器１３が検出すべきキャリア周波数のパルスをグループで検出し、そのパルス群が存在する時間を積分器１４で積分し、積分された出力を前記キャリア検出レベルＤｅｔとすることである。すなわち、前記検波器１３は、直接、受信システム全体のキャリア検出レベルＤｅｔを作成するのではなく、そのキャリア検出レベルＤｅｔを生成するために使用される。
【０００５】
前記検波器１３は、前記出力Ｓｉｇと前記キャリア検出レベルＤｅｔとの差分を、キャリア周波数に対して充分応答することができる高速で増幅し、電圧出力する高速増幅器１５と、その高速増幅器１５の出力を整流するダイオードｄ１と、前記ダイオードｄ１を介して前記高速増幅器１５の出力電圧で充電される容量ｃ１と、前記容量ｃ１を定電流ｉ１で放電させる定電流源１６とを備えて構成されている。
【０００６】
前記積分器１４は、前記容量ｃ１の充電電圧、すなわち前記検波器１３の出力Ｄｅｔｔと、基準電圧源１７からの予め定める基準電圧Ｖｓとの差に対応した電流を出力するアンプ１８と、そのアンプ１８の出力電流で充電され、その充電電圧を前記キャリア検出レベルＤｅｔとして出力する容量ｃ２とを備えて構成されている。
【０００７】
前記積分回路１２は、電流出力のアンプ１９と、容量ｃ３と、前記容量ｃ３を定電流ｉ２で放電させる定電流源２０とを備えて構成されており、前記バンドパスフィルタ５の出力Ｓｉｇをキャリア検出レベルＤｅｔと比較し、その比較結果に対応した電流を容量ｃ３に出力することで、キャリアのある時間を積分して、積分出力Ｉｎｔとして出力する。
【０００８】
図１７は、キャリア検出回路１０の動作を説明するための波形図である。高速増幅器１５で、図１７（ａ）において参照符β１で示すバンドパスフィルタ５の出力Ｓｉｇと、参照符β２で示すキャリア検出レベルＤｅｔとの差分が増幅されると、図１７（ｂ）で示すように、ダイオードｄ１の作用によってキャリア周波数のパルスが検出されている期間Ｗ１では容量ｃ１は充電されて、キャリア周波数のパルス群の検出レベルである前記出力Ｄｅｔｔは高く、パルスが検出されない期間Ｗ２になると、前記定電流源１６による放電によって前記出力Ｄｅｔｔは低下してゆき、零レベルとなる。こうして、期間Ｗ１が前記のように検出すべきキャリア周波数のパルス群が存在する時間となり、積分器１４は該期間Ｗ１を積分し、図１７（ｃ）で示す積分された出力は、前記キャリア検出レベルＤｅｔとなる。
【０００９】
ここで、前記赤外線信号は、３０〜６０ｋＨｚ程度の予め定められたキャリアで変調されたＡＳＫ信号であり、従来は前記キャリア検出レベルＤｅｔを出力する容量はそのキャリア周波数で充放電されていたのに対して、前記期間Ｗ１，Ｗ２を１００ｍｓｅｃ程度の前記キャリア周波数に比べて充分長い時定数として、前記キャリア検出レベルＤｅｔを出力する容量ｃ２を、たとえば１００ｐＦ程度にまで小さくし、集積回路内に作成可能としている。
【００１０】
【発明が解決しようとする課題】
しかしながら、上述の従来技術のキャリア検出回路１０では、所定の休止期間をあけて送信されるコード信号に対して、前記休止期間に前記キャリア検出レベルＤｅｔが低下してしまうとノイズを検波してしまうことになるので、赤外線リモコンの１つの送信コードが５０ｍｓｅｃ程度であることから、前述のようにキャリア周波数のパルスをグループで検出し、容量ｃ２を集積回路内に作成可能な容量としても、前記長い放電時定数を得ている。
【００１１】
このため、前記放電時定数を超えるような光ノイズに対しては誤動作を防止することができるけれども、前記放電時定数以内で周期的に変化するような光ノイズに対しては、誤動作を生じてしまうという問題がある。
【００１２】
図１８は、前記赤外線信号のキャリア周波数と略等しいインバータ蛍光灯等による連続的な光ノイズが入力されている場合の各部の波形を示す図である。図１８（ａ）において参照符β１１で示すバンドパスフィルタ５の出力Ｓｉｇによって、検波器１３から図１８（ｂ）で示す出力Ｄｅｔｔが導出され、基準電圧Ｖｓを超えると、図１８（ａ）において参照符β１２で示すキャリア検出レベルＤｅｔが長い時定数で増加してゆくとともに、図１８（ｃ）において参照符β１３で示す積分出力Ｉｎｔも上昇してゆく。そして、参照符β１４で示す出力回路７のスレッシュレベルを超えると、ヒステリシスのために該スレッシュレベルが低下されるとともに、図１８（ｄ）で示す出力信号Ｄｏｕｔも反転し、誤動作となる。
【００１３】
しかしながら、この誤動作は、キャリア検出レベルＤｅｔがバンドパスフィルタ５の出力Ｓｉｇのピーク付近でその増加が停止し、この状態ではアンプ１９の入力オフセットによってその出力がローレベルとなることで、定電流源２０が容量ｃ３を定電流ｉ２で放電させて積分出力Ｉｎｔが低下し、前記出力回路７のスレッシュレベル以下とすることで、正常に復帰することができる。
【００１４】
これに対して、現実的には、前記蛍光灯の光ノイズには、電源ラインの商用周波成分等の他の周波数成分が含まれ、その他の周波数成分とのうねりが生じており、前記放電時定数以内で周期的に変化するような光ノイズによって、誤動作を生じる。図１９は、そのようなうねりのある光ノイズに対する動作を説明するための波形図である。図１９（ａ）〜図１９（ｄ）の各波形は、それぞれ図１８（ａ）〜図１８（ｄ）の各波形にそれぞれ対応している。
【００１５】
先ず、前述と同様に、図１９（ａ）において参照符β１１ａで示すバンドパスフィルタ５からのうねりのある出力Ｓｉｇによって、検波器１３から図１９（ｂ）で示す出力Ｄｅｔｔが導出され、基準電圧Ｖｓを超えると、図１９（ａ）において参照符β１２ａで示すキャリア検出レベルＤｅｔが増加してゆくとともに、図１９（ｃ）において参照符β１３ａで示す積分出力Ｉｎｔも上昇してゆく。そして、参照符β１４ａで示す出力回路７のスレッシュレベルを超えると、ヒステリシスのために該スレッシュレベルが低下されるとともに、図１９（ｄ）で示す出力信号Ｄｏｕｔも反転し、誤動作が生じる。
【００１６】
ところが、前記出力Ｓｉｇのうねりによって、出力Ｄｅｔｔが基準電圧Ｖｓ以下になることがあり、これによってキャリア検出レベルＤｅｔが減少し、再び出力Ｓｉｇはキャリア検出レベルＤｅｔを超える。こうして、ノイズのピークを捉えることができず、積分出力Ｉｎｔは一定レベルで増減を繰返して前記ヒステリシスのために低下しているスレッシュレベル以下とならず、したがって出力信号Ｄｏｕｔも反転せず、誤動作状態が継続することになる。
【００１７】
ここで、図２０（ａ）に送信されるコード信号の一例を示し、図２０（ｂ）に正常動作時の出力信号Ｄｏｕｔを示し、図２０（ｃ）に前記うねりのある光ノイズによる誤動作状態での出力信号Ｄｏｕｔを示す。前記うねりのある光ノイズによっても、ノイズを略捉えているために、送信信号自体のレベルがある程度大きければ、図２０（ｃ）のようにデータを復元することは可能である。しかしながら、多くのリモコンのコード信号には、前記データの直前に、開始コードであるヘッダが付加されており、図２０（ｃ）のようにこのヘッダが認識されなければ、以降のデータを認識することができず、誤動作となる。
【００１８】
本発明の目的は、誤動作を低減することができるキャリア検出回路および赤外線リモコン受信機を提供することである。
【００１９】
【課題を解決するための手段】
本発明のキャリア検出回路は、受信信号に基づいてキャリア検出レベルを作成し、そのキャリア検出レベルを用いてキャリアの有無を検出するようにしたキャリア検出回路において、検出すべきキャリア周波数のパルスを検出する検波器と、前記検波器からの出力が予め定める積分基準値以上である時間を積分することで前記キャリア周波数のパルスをグループで検出し、その積分出力を前記キャリア検出レベルとして出力する積分器と、キャリアの有ることが検出されている期間は、前記積分基準値に対して、前記検波器からの出力を相対的に増加するレベル変更回路とを含むことを特徴とする。
【００２０】
上記の構成によれば、キャリアに重畳されるノイズに対しては検波器が応答し、積分器によって作成されるキャリア検出レベルを上昇させる。一方、前記積分器において、キャリア検出レベルを出力する積分用の容量に、前記キャリアの有無に対応して充放電を行うトランジスタには、キャリア周波数ではなく、ベースバンド成分の周波数に対する応答性があればよく、該トランジスタの応答に対するマージンを確保し、前記容量への充放電電流を微少電流とすることができる。
【００２１】
こうして、前記容量を集積化可能な容量としても、高い応答性でキャリアの有無を検出するようにしたキャリア検出回路において、さらにレベル変更回路を設け、キャリアの有ることが検出されている期間は、たとえば後に詳述するようにして、検波器からの出力を、積分器における積分基準値に対して相対的に増加する。
【００２２】
したがって、キャリア周波数よりも低い周波数のうねりによってパルスレベルが低下しても、キャリア周波数のパルス群の検出レベルを表す検波器からの出力はキャリアを検出し続けている状態となり、これによって前記うねりによるキャリア検出レベルの低下を抑え、うねりによるパルスレベルが回復した後に確実にパルスレベルがキャリア検出レベル以下となるようにして、キャリアの誤検出を防止する。
【００２３】
こうして、前記ベースバンド成分とノイズ成分とを分離して、うねりの有るノイズに対する誤動作を低減し、ベースバンド成分を正確に検出することができる。
【００２４】
また、本発明のキャリア検出回路では、前記レベル変更回路は、前記キャリアの有る期間に、前記検波器からの出力を前記積分基準値よりも僅かに高い一定電圧に制限することで、該検波器からの出力を積分基準値に対して相対的に増加することを特徴とする。
【００２５】
上記の構成によれば、キャリアの有る期間では、無い期間よりも、パルス群の検出レベルである検波器からの出力を、積分基準電圧よりも僅かに高い一定電圧に制限することで、パルスレベルのうねりに対応する。
【００２６】
したがって、キャリアが無い状態で前記パルス群の検出レベルが過剰に高くなってしまい、本来の信号が送信されたときに、それを受信できなくなってしまうような不具合を無くすことができる。
【００２７】
さらにまた、本発明のキャリア検出回路では、前記レベル変更回路は、前記キャリアの有る期間に、前記検波器の出力段における容量の放電電流を減少することで、該検波器からの出力を積分基準値に対して相対的に増加することを特徴とする。
【００２８】
上記の構成によれば、その出力電圧がパルス群の検出レベルを表すことになる検波器の出力段の容量に対して、キャリアの有る期間では、無い期間よりも放電電流を減少し、放電時間を長く設定することで、パルスレベルのうねりに対応する。
【００２９】
したがって、キャリアが無い状態で前記パルス群の検出レベルが過剰に高くなってしまい、本来の信号が送信されたときに、それを受信できなくなってしまうような不具合を無くすことができる。
【００３０】
また、本発明のキャリア検出回路では、前記レベル変更回路は、前記キャリアの有る期間に、前記検波器への受信信号の入力オフセット電圧を増加することで、該検波器からの出力を積分基準値に対して相対的に増加することを特徴とする。
【００３１】
上記の構成によれば、検波器への受信信号の入力オフセット電圧を増加することで、キャリアの有る期間では、無い期間よりも、見掛上、信号レベルを増加することで、パルスレベルのうねりに対応する。
【００３２】
したがって、直接に検波器からの出力を操作しないので、感度が低下している時間を減少することもできる。
【００３３】
さらにまた、本発明のキャリア検出回路では、前記レベル変更回路は、前記キャリアの有る期間に、前記積分器における積分基準値を低下することで、該検波器からの出力を積分基準値に対して相対的に増加することを特徴とする。
【００３４】
上記の構成によれば、積分器の積分基準値を低下することで、キャリアの有る期間では、無い期間よりも、見掛上、検波器からの出力レベルを増加することで、パルスレベルのうねりに対応する。
【００３５】
したがって、直接に検波器からの出力を操作しないので、制御に伴う新たなノイズによる影響を少なくすることができ、誤動作に対する耐量を向上することもできる。
【００３６】
また、本発明の赤外線リモコン受信機は、上記の何れかのキャリア検出回路を用いることを特徴とする。
【００３７】
上記の構成によれば、キャリアの有ることが検出されている期間は、検波器からの出力を積分器の積分基準値に対して相対的に増加して、うねりの有るノイズに対する受信機の誤動作を低減することができる。
【００３８】
さらにまた、本発明の赤外線リモコン受信機は、赤外線信号を受光して得られた受信信号をアンプを介してバンドパスフィルタに入力し、検出すべきキャリア周波数成分を抽出した後、キャリア検出回路において前記キャリア周波数のパルスを検出し、その検出結果が予め定める積分基準値以上である時間を積分することで前記キャリア周波数のパルスをグループで検出し、かつその積分出力をキャリア検出レベルとしてキャリアの有無を検出するようにした赤外線リモコン受信機において、キャリアの有ることが検出されている期間は、前記アンプまたはバンドパスフィルタの少なくとも一方のゲインを低下するゲイン変更回路を含むことを特徴とする。
【００３９】
上記の構成によれば、キャリア周波数のパルスをグループで検出することで、積分器においてキャリア検出レベルを出力する積分用の容量を集積化可能な容量とすることができる赤外線リモコン受信機において、ゲイン変更回路を設け、キャリアの有ることが検出されている期間は、アンプまたはバンドパスフィルタの少なくとも一方のゲインを低下する。
【００４０】
したがって、キャリア周波数よりも低い周波数のうねりによってパルスレベルが変動しても、アンプまたはバンドパスフィルタの少なくとも一方のゲイン低下によって受信信号はキャリア検出レベル以下になる確率が高くなり、キャリアの誤検出を防止することができる。
【００４１】
また、本発明の赤外線リモコン受信機では、前記ゲイン変更回路は、ゲイン低下時に、時定数を有することを特徴とする。
【００４２】
上記の構成によれば、前記時定数によって制御の応答を遅延させることで、キャリアの有無の検出結果の切換わりによるノイズの影響を低減することができ、誤動作に対する耐量を向上することができる。
【００４３】
【発明の実施の形態】
本発明の実施の第１の形態について、図１および図２に基づいて説明すれば、以下のとおりである。
【００４４】
図１は、本発明の実施の第１の形態のキャリア検出回路３０の電気的構成を示すブロック図である。このキャリア検出回路３０は、大略的に、検波回路３１および積分回路３２ならびに出力回路３３を備えて構成されている。前記図１４のバンドパスフィルタ５の出力Ｓｉｇから、検波回路３１において、検波器３４が検出すべきキャリア周波数のパルスをグループで検出し、そのパルス群が存在する時間を積分器３５で積分して、その出力をキャリア検出レベルＤｅｔとし、積分回路３２において前記出力Ｓｉｇを前記キャリア検出レベルＤｅｔと比較し、その比較結果を積分した後、出力回路３３でレベル弁別して出力信号Ｄｏｕｔを作成する点は、前記図１６で示すキャリア検出回路１０と同様である。
【００４５】
すなわち、前記検波器３４は、前記出力Ｓｉｇと前記キャリア検出レベルＤｅｔとの差分を、キャリア周波数に対して充分応答することができる高速で増幅し、電圧出力する高速増幅器３６と、その高速増幅器３６の出力を整流するダイオードＤ１と、前記ダイオードＤ１を介して前記高速増幅器３６の出力電圧で充電される容量Ｃ１と、前記容量Ｃ１を定電流Ｉ１で放電させる定電流源３７とを備えて構成され、出力Ｓｉｇのピークホールド動作を行う。
【００４６】
前記積分器３５は、前記容量Ｃ１の充電電圧、すなわち前記検波器３４の出力Ｄｅｔｔと、基準電圧源３８からの予め定める積分基準値である基準電圧Ｖｓとの差に対応した電流を出力するアンプ３９と、そのアンプ３９の出力電流で充電され、その充電電圧を前記キャリア検出レベルＤｅｔとして出力する容量Ｃ２とを備えて構成されている。
【００４７】
前記積分回路３２は、電流出力のアンプ４０と、容量Ｃ３と、前記容量Ｃ３を定電流Ｉ２で放電させる定電流源４１とを備えて構成されており、前記バンドパスフィルタ５の出力Ｓｉｇをキャリア検出レベルＤｅｔと比較し、その比較結果に対応した電流を容量Ｃ３に出力することで、キャリアのある時間を積分して、積分出力Ｉｎｔとして出力する。出力回路３３は、ヒステリシスコンパレータから成り、前記積分回路３２からの積分出力Ｉｎｔをレベル弁別して、ベースバンド周波数の出力信号Ｄｏｕｔを作成する。
【００４８】
注目すべきは、このキャリア検出回路３０では、出力回路３３からの出力信号Ｄｏｕｔを、検波器３４へフィードバックするフィードバックループ４２が設けられており、またその出力信号Ｄｏｕｔが与えられるトランジスタ４３によって、該出力信号Ｄｏｕｔのオン時には、パルス群の検出レベルである容量Ｃ１の充電電圧、すなわち前記検波器３４の出力Ｄｅｔｔが、略最大値である予め定める一定電圧ＶＣに設定され、これによってキャリア検出レベルＤｅｔが増加して、感度が低下し、積分出力Ｉｎｔが初期状態に復帰できるようになっていることである。
【００４９】
図２は、上述のように構成されるキャリア検出回路３０のうねりのある光ノイズに対する動作を説明するための波形図である。図２（ａ）において参照符γ１で示すバンドパスフィルタ５の出力Ｓｉｇによって、検波器３４から図２（ｂ）で示す出力Ｄｅｔｔが導出され、該出力Ｄｅｔｔが基準電圧Ｖｓを超えると、図２（ａ）において参照符γ２で示すキャリア検出レベルＤｅｔが長い時定数で増加してゆくとともに、図２（ｃ）において参照符γ３で示す積分出力Ｉｎｔも上昇してゆく。そして、時刻ｔ１において参照符γ４で示す出力回路３３のスレッシュレベルを超えると、ヒステリシスのために該スレッシュレベルが低下されるとともに、図２（ｄ）で示す出力信号Ｄｏｕｔも反転し、一旦は誤動作状態となる。
【００５０】
しかしながら、この状態では、前述のようにトランジスタ４３によって検波器３４の出力Ｄｅｔｔが一定電圧ＶＣに設定されるので、図２（ａ）で示す出力Ｓｉｇのレベルがうねりによって縮小しても、前記出力Ｄｅｔｔは基準電圧Ｖｓを超えたままとなり、キャリア検出レベルＤｅｔは略最大値まで増加する。これによって、積分出力Ｉｎｔが低下して、やがて時刻ｔ２において出力回路３３のスレッシュレベル以下となり、出力信号Ｄｏｕｔはオフに反転し、正常状態に復帰する。時刻ｔ３において出力Ｄｅｔｔが基準電圧Ｖｓ以下になると、キャリア検出レベルＤｅｔも減少に転じる。
【００５１】
なお、上述の出力信号Ｄｏｕｔのオン／オフ動作は、発振現象のようであるけれども、前記のとおり回路の時定数が大きいので、その周期は比較的長く、出力信号Ｄｏｕｔがオフの状態で前記図２０（ａ）で示すような送信信号のヘッダを受信すると、図２０（ｂ）で示すように、以降のデータは何ら問題なく、正確に受信することができる。また、前記オン／オフ動作を繰返している状態でも、前記図１９（ｄ）で示すように常時オン状態となるよりも消費電力を少なくすることができるとともに、前記オン／オフ動作は通常の赤外線信号を受信している状態では発生しないので、実用上、問題はない。
【００５２】
このようにして、キャリアの有ることが検出されている出力信号Ｄｏｕｔのオン時には、出力Ｓｉｇのキャリア周波数よりも低いうねりに対して、キャリア周波数のパルス群の検出レベルを表す出力Ｄｅｔｔを基準電圧Ｖｓより高い一定電圧ＶＣに維持して、擬似的にパルス群を検出し続けている状態とし、これによってうねりによる出力Ｓｉｇのレベルが回復した後に積分出力Ｉｎｔを出力回路３３のスレッシュレベル以下として、出力信号Ｄｏｕｔを確実にオフ状態に復帰させることができ、誤動作を防止することができる。こうして、うねりの有るノイズからベースバンド周波数のコード信号を分離して、正確に検出することができる。
【００５３】
ここで、たとえば特開平６−１８８８３５号公報には、フォトダイオードで発生し、バンドパスフィルタを通過してしまうショットノイズを除去するために、前記ショットノイズによる電流が入射光による電流の平方根に依存することに着目して、前記入射光による電流を平方根にするマッチング回路を通してアンプに入力するように構成されている。
【００５４】
しかしながら、このようなノイズの除去を考慮している先行技術は、何れも、アンプへの入力レベルを操作することで対応しており、キャリアは通常の包絡線検波によって検波されている。この点、本発明および前述の特願２０００−２３４９２６号では、キャリア検出レベルＤｅｔが略外乱光ノイズのピークを捉えて、すなわち外乱光ノイズのレベルに適応し、ノイズ成分を除去するので、前記ショットノイズに限らず、高いノイズ除去能力を発揮することができる。
【００５５】
本発明の実施の第２の形態について、図３〜図５に基づいて説明すれば、以下のとおりである。
【００５６】
図３は、本発明の実施の第２の形態のキャリア検出回路５０の電気的構成を示すブロック図である。このキャリア検出回路５０は、前述のキャリア検出回路３０に類似し、対応する部分には、同一の参照符号を付して、その説明を省略する。注目すべきは、このキャリア検出回路５０では、前述のキャリア検出回路３０が出力信号Ｄｏｕｔのオン時に検波器３４の出力Ｄｅｔｔを一定電圧ＶＣに維持していたのに対して、前記基準電圧Ｖｓよりも僅かに高い一定電圧Ｖｃに制限することである。
【００５７】
このため、検波器３４に関連して、前記出力Ｄｅｔｔを前記電圧Ｖｃに制限する電圧制限回路５１が設けられている。この電圧制限回路５１は、大略的に、基準電圧源３８からの基準電圧Ｖｓを取込み、該基準電圧Ｖｓよりも僅かに高い前記電圧Ｖｃを発生する制限電圧発生回路５２と、前記フィードバックループ４２を介して出力信号Ｄｏｕｔが与えられ、容量Ｃ１からアンプ３９へのライン５３に、前記出力信号Ｄｏｕｔが、オン状態で前記制限電圧発生回路５２からの電圧Ｖｃを与え、オフ状態で前記制限電圧発生回路５２をライン５３から開放するスイッチ素子５４とを備えて構成されている。
【００５８】
図４は、前記電圧制限回路５１の一構成例を示す電気回路図である。この電圧制限回路５１は、基準電流源５５と、前記基準電流源５５による基準電流Ｉ０１を前記出力信号Ｄｏｕｔに応答してオン／オフして折返し、前記スイッチ素子５４を構成するトランジスタＱ０〜Ｑ３と、電圧Ｖｃを作成する前記制限電圧発生回路５２を構成する抵抗Ｒ１、ダイオードＤ１０、トランジスタＱ４〜Ｑ９および定電流源５６と、前記容量Ｃ１からの出力Ｄｅｔａを取込む入力のトランジスタＱ１０とを備えて構成されている。
【００５９】
トランジスタＱ４とトランジスタＱ５とは対を成し、トランジスタＱ４のベースには前記基準電圧Ｖｓが与えられ、エミッタは抵抗Ｒ１を介して前記基準電流Ｉ０１を供給するトランジスタＱ２のコレクタに接続され、コレクタはトランジスタＱ６を介して接地される。一方、トランジスタＱ５のベースはダイオードＤ１０を介して、前記基準電流Ｉ０１を供給するトランジスタＱ３のコレクタおよび前記入力のトランジスタＱ１０と対を成すトランジスタＱ９のエミッタに接続されるとともに、トランジスタＱ８を介して接地される。また、トランジスタＱ５のベースは、電源ライン間に直列に接続される入力のトランジスタＱ１０と定電流源５６との接続点に接続され、該ベースが前記アンプ３９への出力Ｄｅｔｔの出力端となり、エミッタは前記トランジスタＱ２のコレクタに接続され、コレクタは前記トランジスタＱ６とカレントミラー回路を構成するトランジスタＱ７を介して接地される。
【００６０】
したがって、出力信号Ｄｏｕｔがオフの場合、トランジスタＱ０〜Ｑ３がオフしてトランジスタＱ４〜Ｑ９は作動せず、出力Ｄｅｔｔには容量Ｃ１の出力ＤｅｔａからトランジスタＱ１０のベース−エミッタ間電圧だけ低下した電圧が出力され、前記検波器３４による通常のピークホールド動作が行われることになる。これに対して、出力信号Ｄｏｕｔがオンの場合、トランジスタＱ０〜Ｑ３がオンしてトランジスタＱ４〜Ｑ９が作動し、出力Ｄｅｔｔは前記基準電圧Ｖｓよりも僅かに高いＶｃ（Ｖｃ＝Ｖｓ＋（Ｉ０１／２）・Ｒ１）の一定電圧に制限される。
【００６１】
図５は、うねりのある光ノイズに対する動作を説明するための波形図である。この図５（ａ）〜図５（ｄ）の各波形は、前述の図２（ａ）〜図２（ｄ）の各波形にそれぞれ対応している。図５（ｂ）で示すように、時刻ｔ１において出力信号Ｄｏｕｔがオンになると、出力ＤｅｔｔはＶｃの一定電圧に制限されている。
【００６２】
このようにしてもまた、キャリアの有ることが検出されている出力信号Ｄｏｕｔのオン時には、出力Ｓｉｇのキャリア周波数よりも低いうねりに対して、キャリア周波数のパルス群の検出レベルを表す出力Ｄｅｔｔを基準電圧Ｖｓを超えたままで維持して、擬似的にパルス群を検出し続けている状態とし、これによって所定時間後に積分出力Ｉｎｔを出力回路３３のスレッシュレベル以下として、出力信号Ｄｏｕｔを確実にオフ状態に復帰させることができ、誤動作を防止することができる。
【００６３】
また、電圧制限回路５１によって出力信号Ｄｏｕｔのオン時にキャリア周波数のパルス群の検出レベルである出力Ｄｅｔｔを基準電圧Ｖｓよりも僅かに高い一定電圧Ｖｃに制限することで、キャリアが無い状態で前記出力Ｄｅｔｔが過剰に高くなってしまい、受信感度が低下して、本来の赤外線信号が受信できなくなってしまうような不具合を無くすこともできる。
【００６４】
本発明の実施の第３の形態について、図６〜図８に基づいて説明すれば、以下のとおりである。
【００６５】
図６は、本発明の実施の第３の形態のキャリア検出回路６０の電気的構成を示すブロック図である。このキャリア検出回路６０は、前述のキャリア検出回路３０，５０に類似し、対応する部分には、同一の参照符号を付して、その説明を省略する。注目すべきは、このキャリア検出回路６０では、前記フィードバックループ４２を介する出力信号Ｄｏｕｔは、検波回路６１の検波器６４の定電流源６７に与えられ、該定電流源６７は、その定電流Ｉ１を、前記出力信号Ｄｏｕｔがオフ状態のときは予め定める第１の電流値Ｉ１ｏｆｆとし、オン状態のときは前記Ｉ１ｏｆｆよりも小さい予め定める第２の電流値Ｉ１ｏｎに減少することである。
【００６６】
図７は、定電流源６７の一構成例を示す電気回路図である。この定電流源６７は、基準電流源６８と、４つのトランジスタＱ１１〜Ｑ１４と、２つの抵抗Ｒ１１，Ｒ１２とを備えて構成されている。基準電流源６８と、トランジスタＱ１１と、抵抗Ｒ１１とは、相互に直列に、電源ライン間に介在されており、ダイオード接続されたトランジスタＱ１１のベースには、カレントミラー回路を構成するトランジスタＱ１２およびトランジスタＱ１３のベースが接続されている。トランジスタＱ１３のコレクタは前記容量Ｃ１に接続されて前記定電流Ｉ１を引抜き、エミッタは抵抗Ｒ１２を介して接地されている。一方、トランジスタＱ１２のエミッタも抵抗Ｒ１２を介して接地されており、またこのトランジスタＱ１２のコレクタはトランジスタＱ１４を介してハイレベルＶｃｃの電源ラインに接続される。トランジスタＱ１４のベースには、フィードバックループ４２を介して前記出力信号Ｄｏｕｔが与えられる。
【００６７】
トランジスタＱ１１，Ｑ１２，Ｑ１３のエミッタ面積比は、１：ｎ：１（ｎ＞１）に形成されており、したがって出力信号Ｄｏｕｔが、オフのときはトランジスタＱ１４，Ｑ１２がオフとなって前記定電流Ｉ１は比較的大きい前記Ｉ１ｏｆｆとなり、オンのときはトランジスタＱ１４，Ｑ１２がオンとなって、これらのトランジスタＱ１４，Ｑ１２からの電流が抵抗Ｒ１２に流込むために前記定電流Ｉ１は比較的小さい前記Ｉ１ｏｎとなる。
【００６８】
前記電流値Ｉ１ｏｆｆ，Ｉ１ｏｎは、ｋをボルツマン定数、Ｔを絶対温度、ｑを電荷素量とし、基準電流源６８の電流値をＩ０２とすると、
0003698988.tif 000002
に設定される。
【００６９】
図８は、うねりのある光ノイズに対する動作を説明するための波形図である。この図８（ａ）〜図８（ｄ）の各波形は、前述の図２（ａ）〜図２（ｄ）および図５（ａ）〜図５（ｄ）の各波形にそれぞれ対応している。図８（ｂ）で示すように、時刻ｔ１において出力信号Ｄｏｕｔがオンになると、前述のように定電流源６７による容量Ｃ１の放電電流Ｉ１がＩ１ｏｎに減少されているので、検波器３４の出力Ｄｅｔｔは緩やかに低下し、前記時刻ｔ３まで基準電圧Ｖｓを超えたままとなる。
【００７０】
このようにしてもまた、前記うねりに対する誤動作を防止することができるとともに、容量Ｃ１の放電電流Ｉ１を減少して、放電時間を長く設定することで前記うねりに対応しているので、キャリアが無い状態で前記出力Ｄｅｔｔが過剰に高くなってしまい、受信感度が低下して、本来の赤外線信号が受信できなくなってしまうような不具合を無くすこともできる。
【００７１】
本発明の実施の第４の形態について、図９および図１０に基づいて説明すれば、以下のとおりである。
【００７２】
図９は、本発明の実施の第４の形態のキャリア検出回路７０の電気的構成を示すブロック図である。このキャリア検出回路７０は、前述のキャリア検出回路３０，５０，６０に類似している。注目すべきは、このキャリア検出回路７０では、検波回路７１の検波器７４において、前記バンドパスフィルタ５の出力Ｓｉｇと前記キャリア検出レベルＤｅｔとの差分を増幅し、電圧出力する高速増幅器７６の入力オフセット電圧が、前記出力信号Ｄｏｕｔのオン時に増加されることである。
【００７３】
図１０は、前記高速増幅器７６の具体的構成を示す電気回路図である。この高速増幅器７６は、コンパレータ７２と、オフセット切換え回路７３とを備えて構成されている。コンパレータ７２は、前記キャリア検出レベルＤｅｔおよびバンドパスフィルタ５の出力Ｓｉｇがそれぞれベースに与えられる一対のトランジスタＱ２１，Ｑ２２と、前記トランジスタＱ２２のエミッタに接続される負荷抵抗Ｒ２１と、前記トランジスタＱ２１のエミッタおよび前記負荷抵抗Ｒ２１からトランジスタＱ２２のエミッタに電流を供給する定電流源７７と、前記トランジスタＱ２１，Ｑ２２のコレクタに接続され、相互に等しい面積でカレントミラー回路を構成するトランジスタＱ２３，Ｑ２４とを備えて構成される。トランジスタＱ２２とトランジスタＱ２４との接続点は、前記ダイオードＤ１への出力端となる。
【００７４】
前記定電流源７７は定電流２×Ｉ０３を供給しており、したがってトランジスタＱ２３，Ｑ２４を流れる電流は、共にＩ０３となる。ここで、Ｓｉｇ＞Ｄｅｔのとき、入力オフセットは、略Ｉ０３×Ｒ２１となる。
【００７５】
一方、オフセット切換え回路７３は、前記出力信号Ｄｏｕｔおよび基準電圧源７８からの予め定める基準電圧Ｖｒｅｆがそれぞれベースに与えられる一対のトランジスタＱ２５，Ｑ２６と、前記トランジスタＱ２５，Ｑ２６のエミッタに共通に電流を供給する定電流源７９と、前記トランジスタＱ２５，Ｑ２６のコレクタに接続され、相互に等しい面積でカレントミラー回路を構成するトランジスタＱ２７，Ｑ２８とを備えて構成される。トランジスタＱ２６とトランジスタＱ２８との接続点は、トランジスタＱ２２と負荷抵抗Ｒ２１との接続点と接続されている。
【００７６】
したがって、出力信号Ｄｏｕｔがオフの基準電圧Ｖｒｅｆよりも低い接地レベルであるときには、トランジスタＱ２５〜Ｑ２８はオフし、入力オフセットは前記Ｉ０３×Ｒ２１であるのに対して、出力信号Ｄｏｕｔがオンの基準電圧Ｖｒｅｆよりも高いハイレベルとなると、トランジスタＱ２５〜Ｑ２８はオンし、負荷抵抗Ｒ２１には定電流源７９による定電流Ｉ０４が流込み、入力オフセットは（Ｉ０３＋Ｉ０４）×Ｒ２１に増加する。
【００７７】
このように構成することによって、キャリアの有ることが検出されている出力信号Ｄｏｕｔのオン時には、出力Ｓｉｇのレベルを見掛上増加することで、前述と同様に、キャリア周波数よりも低いうねりに対して、キャリア周波数のパルス群の検出レベルを表す出力Ｄｅｔｔを基準電圧Ｖｓを超えたままで維持して、擬似的にパルス群を検出し続けている状態とし、所定時間後に積分出力Ｉｎｔを出力回路３３のスレッシュレベル以下として、出力信号Ｄｏｕｔを確実にオフ状態に復帰させ、誤動作を防止することができる。
【００７８】
また、出力Ｄｅｔｔを高く、すなわちキャリア検出レベルＤｅｔを高くして、感度を低下する点は、前述の各キャリア検出回路３０，５０，６０と同様であるけれども、直接に出力Ｄｅｔｔを操作しないので、感度が低下している時間を減少することもできる。
【００７９】
本発明の実施の第５の形態について、図１１および図１２に基づいて説明すれば、以下のとおりである。
【００８０】
図１１は、本発明の実施の第５の形態のキャリア検出回路８０の電気的構成を示すブロック図である。このキャリア検出回路８０は、前述のキャリア検出回路３０，５０，６０，７０に類似している。注目すべきは、このキャリア検出回路８０では、検波回路８１において、積分器８５の基準電圧源８８の基準電圧Ｖｓが、前記出力信号Ｄｏｕｔのオン時に低下されることである。
【００８１】
図１２は、前記基準電圧源８８の具体的構成を示す電気回路図である。この基準電圧源８８は、定電圧発生回路８２と、切換え回路８３と、出力バッファ回路８４とを備えて構成されている。定電圧発生回路８２は、トランジスタＱ３１〜Ｑ３６および抵抗Ｒ３１〜Ｒ３３から成り、抵抗Ｒ３１に定電流Ｉ０５を流し込み、Ｉ０５×Ｒ３１の定電圧を発生している。
【００８２】
一方、切換え回路８３は、前記出力信号Ｄｏｕｔおよび基準電圧源８６からの予め定める基準電圧Ｖｒｅｆがそれぞれベースに与えられる一対のトランジスタＱ３７，Ｑ３８と、前記トランジスタＱ３７，Ｑ３８のエミッタに共通に電流を供給する定電流源８７と、前記トランジスタＱ３７，Ｑ３８のコレクタに接続され、相互に等しい面積でカレントミラー回路を構成するトランジスタＱ３９，Ｑ４０とを備えて構成される。トランジスタＱ３７とトランジスタＱ３９との接続点は、前記トランジスタＱ３６と抵抗Ｒ３１との接続点に接続されている。
【００８３】
また、出力バッファ回路８４は、トランジスタＱ４１〜Ｑ４３、抵抗Ｒ３４および定電流源８９から成り、トランジスタＱ４１のベースが接続される前記トランジスタＱ３６と抵抗Ｒ３１との接続点の電圧、すなわち抵抗Ｒ３１の端子間電圧を、トランジスタＱ４３のベースから前記基準電圧Ｖｓとして出力する。
【００８４】
したがって、出力信号Ｄｏｕｔがオフの基準電圧Ｖｒｅｆよりも低い接地レベルであるときには、トランジスタＱ３７〜Ｑ４０はオンし、抵抗Ｒ３１には定電流源８７による定電流Ｉ０６も流れ込み、基準電圧Ｖｓは（Ｉ０５＋Ｉ０６）×Ｒ３１となっている。これに対して、出力信号Ｄｏｕｔがオンの基準電圧Ｖｒｅｆよりも高いハイレベルとなると、トランジスタＱ３７〜Ｑ４０はオフし、基準電圧Ｖｓは前記Ｉ０５×Ｒ３１に低下する。
【００８５】
このように構成することによって、キャリアの有ることが検出されている出力信号Ｄｏｕｔのオン時には、基準電圧Ｖｓを低下することで、前述と同様に、キャリア周波数よりも低いうねりに対して、キャリア周波数のパルス群の検出レベルを表す出力Ｄｅｔｔを該基準電圧Ｖｓを超えたままで維持して、擬似的にパルス群を検出し続けている状態とし、所定時間後に積分出力Ｉｎｔを出力回路３３のスレッシュレベル以下として、出力信号Ｄｏｕｔを確実にオフ状態に復帰させ、誤動作を防止することができる。
【００８６】
また、出力Ｄｅｔｔを操作するのではなく、基準電圧Ｖｓを操作することで、このような制御に伴う新たなノイズによる影響を少なくすることができ、前記誤動作に対する耐量を向上することができる。
【００８７】
本発明の実施の第６の形態について、図１３に基づいて説明すれば、以下のとおりである。
【００８８】
図１３は、本発明の実施の第６の形態の赤外線リモコンの受信機９１の電気的構成を示すブロック図である。この受信機９１では、赤外線信号はフォトダイオード９２で光電流信号Ｉｉｎに変換され、その光電流信号Ｉｉｎはアンプ９３において電流−電圧変換されるとともに、さらにアンプ９４で増幅された後、バンドパスフィルタ９５に入力される。バンドパスフィルタ９５ではキャリア周波数成分が抽出され、さらに検波回路９６において前記キャリア周波数成分からベースバンド周波数の送信コード成分が検波され、その検波出力が出力回路９７において予め定めるスレッシュレベルと比較されることで、キャリアの有無が判別されてデジタルのコード信号が復元され、前記出力回路９７から出力信号Ｄｏｕｔとして出力される。前記検波回路９６およびヒステリシスコンパレータから成る出力回路９７は、キャリア検出回路を構成する。
【００８９】
注目すべきは、この受信機９１では、前記フィードバックループ４２を介する出力回路９７からの出力信号Ｄｏｕｔは、アンプ９４またはバンドパスフィルタ９５の少なくとも一方に与えられ、前記出力信号Ｄｏｕｔがオンの期間は、それらのゲインが低下されることである。
【００９０】
このように構成することによって、キャリア周波数よりも低い周波数のうねりによってパルスレベルが変動しても、アンプ９４および／またはバンドパスフィルタ９５のゲイン低下によって、バンドパスフィルタ９５の出力Ｓｉｇはキャリア検出レベルＤｅｔ以下になる確率が高くなり、これによって検波回路９６の積分出力Ｉｎｔを出力回路９７のスレッシュレベル以下として、出力信号Ｄｏｕｔを確実にオフ状態に復帰させることができ、このようにしてもまた、キャリアの誤検出を防止することができる。
【００９１】
また、前記アンプ９４および／またはバンドパスフィルタ９５のゲイン低下は、所定の時定数を持って行われる。したがって、この時定数によって制御の応答を遅延させることで、出力信号Ｄｏｕｔの切換わりによるノイズの影響を低減することができ、誤動作発生の耐量を向上することができる。
【００９２】
さらにまた、アンプ９４のゲインを低下させる場合には、バンドパスフィルタ９５の中心周波数の変動やバンド幅の変動はなく、これに対してバンドパスフィルタ９５のゲインを低下させる場合には、キャリア検出回路の時定数による応答遅延を考慮する必要はなく、制御精度を向上することができる。
【００９３】
【発明の効果】
本発明のキャリア検出回路は、以上のように、検出すべきキャリア周波数のパルスを検波器で検出し、積分器でその出力が積分基準値以上である時間を積分することでキャリア周波数のパルスをグループで検出し、またその積分出力を前記検波器のキャリア検出レベルとして使用することで、積分容量を集積化可能な容量としても、高い応答性でキャリアの有無を検出するようにしたキャリア検出回路において、さらにレベル変更回路を設け、キャリアの有ることが検出されている期間は、検波器からの出力を、積分器における積分基準値に対して相対的に増加し、キャリア周波数よりも低い周波数のうねりによってパルスレベルが低下しても、キャリア周波数のパルス群の検出レベルを表す検波器からの出力は、キャリアを検出し続けている状態に維持する。
【００９４】
それゆえ、前記うねりによるキャリア検出レベルの低下を抑え、うねりによるパルスレベルが回復した後に確実にパルスレベルがキャリア検出レベル以下となるようにして、キャリアの誤検出を防止することができる。
【００９５】
また、本発明のキャリア検出回路では、以上のように、前記レベル変更回路は、キャリアの有る期間に、検波器からの出力を積分基準値よりも僅かに高い一定電圧に制限することで、該検波器からの出力を積分基準値に対して相対的に増加して、前記パルスレベルのうねりに対応する。
【００９６】
それゆえ、キャリアが無い状態で前記パルス群の検出レベルが過剰に高くなってしまい、本来の信号が送信されたときに、それを受信できなくなってしまうような不具合を無くすことができる。
【００９７】
さらにまた、本発明のキャリア検出回路では、以上のように、前記レベル変更回路は、キャリアの有る期間に、検波器の出力段における容量の放電電流を減少することで、該検波器からの出力を積分基準値に対して相対的に増加して、前記パルスレベルのうねりに対応する。
【００９８】
それゆえ、キャリアが無い状態で前記パルス群の検出レベルが過剰に高くなってしまい、本来の信号が送信されたときに、それを受信できなくなってしまうような不具合を無くすことができる。
【００９９】
また、本発明のキャリア検出回路では、以上のように、前記レベル変更回路は、キャリアの有る期間に、検波器への受信信号の入力オフセット電圧を増加することで、該検波器からの出力を積分基準値に対して相対的に増加して、前記パルスレベルのうねりに対応する。
【０１００】
それゆえ、直接に検波器からの出力を操作しないので、感度が低下している時間を減少することもできる。
【０１０１】
さらにまた、本発明のキャリア検出回路では、以上のように、前記レベル変更回路は、キャリアの有る期間に、積分器における積分基準値を低下することで、該検波器からの出力を積分基準値に対して相対的に増加して、前記パルスレベルのうねりに対応する。
【０１０２】
それゆえ、直接に検波器からの出力を操作しないので、制御に伴う新たなノイズによる影響を少なくすることができ、誤動作に対する耐量を向上することもできる。
【０１０３】
また、本発明の赤外線リモコン受信機は、以上のように、上記の何れかのキャリア検出回路を用いて、キャリアの有ることが検出されている期間は、検波器からの出力を積分器の積分基準値に対して相対的に増加する。
【０１０４】
それゆえ、うねりの有るノイズに対する受信機の誤動作を低減することができる。
【０１０５】
さらにまた、本発明の赤外線リモコン受信機は、以上のように、キャリア周波数のパルスをグループで検出することで、積分器においてキャリア検出レベルを出力する積分用の容量を集積化可能な容量とするようにした赤外線リモコン受信機において、ゲイン変更回路を設け、キャリアの有ることが検出されている期間は、アンプまたはバンドパスフィルタの少なくとも一方のゲインを低下する。
【０１０６】
それゆえ、キャリア周波数よりも低い周波数のうねりによってパルスレベルが変動しても、アンプまたはバンドパスフィルタの少なくとも一方のゲイン低下によって受信信号はキャリア検出レベル以下になる確率が高くなり、キャリアの誤検出を防止することができる。
【０１０７】
また、本発明の赤外線リモコン受信機では、以上のように、前記ゲイン変更回路は、ゲイン低下時に、時定数によって制御の応答を遅延させる。
【０１０８】
それゆえ、キャリアの有無の検出結果の切換わりによるノイズの影響を低減することができ、誤動作に対する耐量を向上することができる。
【図面の簡単な説明】
【図１】本発明の実施の第１の形態のキャリア検出回路の電気的構成を示すブロック図である。
【図２】図１で示すキャリア検出回路の動作を説明するための波形図である。
【図３】本発明の実施の第２の形態のキャリア検出回路の電気的構成を示すブロック図である。
【図４】図３で示すキャリア検出回路における電圧制限回路の一構成例を示す電気回路図である。
【図５】図３で示すキャリア検出回路の動作を説明するための波形図である。
【図６】本発明の実施の第３の形態のキャリア検出回路の電気的構成を示すブロック図である。
【図７】図６で示すキャリア検出回路における定電流源の一構成例を示す電気回路図である。
【図８】図６で示すキャリア検出回路の動作を説明するための波形図である。
【図９】本発明の実施の第４の形態のキャリア検出回路の電気的構成を示すブロック図である。
【図１０】図９で示すキャリア検出回路における高速増幅器の具体的構成を示す電気回路図である。
【図１１】本発明の実施の第５の形態のキャリア検出回路の電気的構成を示すブロック図である。
【図１２】図１１で示すキャリア検出回路における基準電圧源の具体的構成を示す電気回路図である。
【図１３】本発明の実施の第６の形態の赤外線リモコンの受信機の電気的構成を示すブロック図である。
【図１４】赤外線リモコンの受信機の一構成例を示すブロック図である。
【図１５】図１４の受信機における各部の波形図である。
【図１６】典型的な従来技術のキャリア検出回路の等価回路図である。
【図１７】図１６で示すキャリア検出回路の動作を説明するための波形図である。
【図１８】連続的な光ノイズが入力されている場合のキャリア検出回路の各部の波形を示す図である。
【図１９】うねりのある光ノイズが入力されている場合のキャリア検出回路の各部の波形を示す図である。
【図２０】赤外線リモコンの送信コード信号および受信コード信号を示す波形図である。
【符号の説明】
３０，５０，６０，７０，８０    キャリア検出回路
３１，６１，７１，８１    検波回路
３２    積分回路
３３    出力回路
３４，６４，７４    検波器
３５，８５    積分器
３６    高速増幅器
３７    定電流源
３８，８６    基準電圧源
３９，４０    アンプ
４１，５６，７７，７９，８７，８９    定電流源
４２    フィードバックループ（レベル変更回路、ゲイン変更回路）
４３    トランジスタ（レベル変更回路）
５１    電圧制限回路（レベル変更回路）
５２    制限電圧発生回路
５４    スイッチ素子
５５    基準電流源
６７    定電流源（レベル変更回路）
６８，７８    基準電流源
７６    高速増幅器（レベル変更回路）
７２    コンパレータ
７３    オフセット切換え回路
８８    基準電圧源（レベル変更回路）
８２    定電圧発生回路
８３    切換え回路
８４    出力バッファ回路
９１    受信機
９２    フォトダイオード
９３，９４    アンプ
９５    バンドパスフィルタ
９６    検波回路
９７    出力回路
Ｃ１，Ｃ２，Ｃ３    容量
Ｄ１，Ｄ１０    ダイオード
Ｑ０〜Ｑ１０；Ｑ１１〜Ｑ１４；Ｑ２１〜Ｑ２８；Ｑ３１〜Ｑ４３トランジスタ
Ｒ１；Ｒ１１，Ｒ１２；Ｒ３１〜Ｒ３４    抵抗
Ｒ２１    負荷抵抗
【図１】
0003698988.tif 000003
【図２】
0003698988.tif 000004
【図３】
0003698988.tif 000005
【図４】
0003698988.tif 000006
【図５】
0003698988.tif 000007
【図６】
0003698988.tif 000008
【図７】
0003698988.tif 000009
【図８】
0003698988.tif 000010
【図９】
0003698988.tif 000011
【図１０】
0003698988.tif 000012
【図１１】
0003698988.tif 000013
【図１２】
0003698988.tif 000014
【図１３】
0003698988.tif 000015
【図１４】
0003698988.tif 000016
【図１５】
0003698988.tif 000017
【図１６】
0003698988.tif 000018
【図１７】
0003698988.tif 000019
【図１８】
0003698988.tif 000020
【図１９】
0003698988.tif 000021
【図２０】
0003698988.tif 000022